Podtech/llm-jp-corpus-v4-ja_patent huggingface dataset:
(57)【要約】【課題】ソースのかかった料理や、ケーキなど柔らかいものを保存する際は、皿の大きさに応じた皿枠を用意する必要があったが、わざわざいくつも購入するのは勿体ない。また皿枠は使用目的が皿を囲う事のみに限定されていた。【解決手段】ハートや木の葉の形に切ったシリコンなどの素材で出来た２枚の面の上半分のみを接着して重ね合わせたパーツを複数個作り、それぞれの面の中央の端から端まで、留め具が左右に移動できるよう切込みを入れ、留め具で１枚１枚を順に留めて、蛇腹状に広げたり、１つにまとめたりすることが出来るようにした。【選択図】図２
2012161384.tif 000002
【特許請求の範囲】
【請求項１】
ハートや木の葉の形に切ったシリコンなどの素材で出来た２枚の面の上半分のみを接着して重ね合わせたパーツを複数個作り、それぞれの前記パーツの中央の端から端まで、留め具が左右に移動できるよう切込みを入れ、前記留め具で１枚１枚を順に留めることにより、皿の大きさに応じて伸縮し、様々なサイズの皿を囲うことが出来、接着されていない前記パーツの面と面で挟んで、皿に対して並行に囲って皿を一回り以上大きく出来ることを特徴とした皿枠。
【発明の詳細な説明】
【技術分野】
【０００１】
本発明は、皿を囲って、料理に直接ラップがくっつかないようにし、皿のサイズや高さを自由に変えられる皿枠に関するものである。
【背景技術】
【０００２】
ソースのかかった料理や、ケーキなど柔らかいものにラップをかける場合、皿枠を利用して料理に直接ラップが付かないようにしたり、高さのある容器に移し替えたりしていた。
【先行技術文献】
【非特許文献】
【０００３】
【非特許文献１】皿枠  株式会社坂内工業所販売
【発明の概要】
【発明が解決しようとする課題】
【０００４】
ソースのかかった料理や、ケーキなど柔らかいものを保存する際は、容器に入れるか、料理の外観を損なわないために、皿枠で囲って、料理に直接ラップが付かないようにしていたが、皿の大きさに応じた皿枠を用意する必要があった。しかしながら皿枠は使用目的が皿を囲う事のみに限定されているので、わざわざ様々なサイズのものを購入するのは勿体なかった。
【課題を解決するための手段】
【０００５】
ハートや花びらの形に切ったシリコンなどで出来た２枚の面を重ね合わせ、上半分の面のみを接着したものを複数個と、最後の１枚は上半分の片側の面のみを接着したものを作り、それぞれの面の中央の端から端まで、留め具が左右に移動できるよう切込みを入れる。留め具で１枚１枚を順に留めて、蛇腹状に広げたり、１つにまとめたりすることが出来るようにする。
以上の構成よりなる皿枠。
【発明の効果】
【０００６】
本発明により、皿枠の伸縮が可能になり、様々な大きさの皿に対応する事が出来る。また本発明の皿枠は皿に対して垂直に使用するだけではなく、皿を面と面で挟んで並行に囲う事も可能なので、皿を一回り以上大きくする効果もある。また皿だけでなく器に取り付けて高さを増すことも出来る。また花びらやハート型の形状から、皿を可愛らしいデザインに演出することも出来る。
【図面の簡単な説明】
【０００７】
【図１】本発明の斜視図。
【図２】本発明を重ねた状態を示す斜視図。
【図３】本発明で皿を垂直に囲ったときの斜視図。
【図４】本発明で皿を平行に繋げた状態を上から見た図。
【発明を実施するための形態】
【０００８】
ハートや花びらの形に切ったシリコンなどの素材で出来た２枚の面の上半分のみを接着して重ね合わせたパーツ１を複数個と、最後のパーツ２は上半分の片側の面のみを接着して作り、それぞれの面の中央の端から端まで、留め具３が左右に移動できるよう切込み４を入れる。留め具３で１枚１枚を順に留め、蛇腹状に広げたり（図１）、１つにまとめたり（図２）すること出来るようにする。
本発明は以上のような構成であるから、以下に使い方を説明する。
【０００９】
本発明のパーツ１と最後のパーツ２を全て垂直に立て、皿５の大きさに応じて広げ、皿５を囲み、最後のパーツ２の上半分の片側は接着されていないので、最後のパーツ２で最初のパーツ１をくわえ込んで止める（図３）。
【００１０】
本発明のパーツ１の両面の下半分は接合されていないので、両面で皿５の端を挟みながら囲い、皿５の大きさに応じて広げ、最後のパーツ２の上半分の片側は接着されていないので、最初のパーツ１を最後のパーツ２でくわえ込んで止める（図４）。
【符号の説明】
【００１１】
１    パーツ
２    最後のパーツ
３    留め具
４    切り込み
５    皿
【図１】
2012161384.tif 000003
【図２】
2012161384.tif 000004
【図３】
2012161384.tif 000005
【図４】
2012161384.tif 000006
(57)【要約】      （修正有）【課題】ホットワインを作る為のスパイスを粉末又は粒状に加工して水分透過性の袋に封入したスパイス入りティーバッグを提供する。【解決手段】少量のスパイスでもスパイス成分を抽出できる様に、粉末又は、粒状に加工したスパイス２乃至７を、不織布の様な水分を透過する袋１に入れて、ティーバッグ状に加工する。マグカップやティーカップ等の容器にワイン又は、他の酒類を入れた中に、当スパイス入りティーバッグを浸して電子レンジで温める事により安易にホットワインや、薬酒を作ることができる。【選択図】図１
2012161305.tif 000002
【特許請求の範囲】
【請求項１】
ホットワインを作る為にスパイスを粉末又は、粒状に加工して水分透過性の袋に封入したスパイス入りティーバッグ。
【発明の詳細な説明】
【発明が解決しようとする課題】
【０００１】  身体の冷えが、健康に重大な影響を与えると言う事が、近年医学界からも叫ばれてきた。
また、女性が、寒さを避ける事に我慢しなくなってきた。
この様な社会で、スパイスを使用したホットワインも見直されてきた。
しかし、数種類のスパイスを購入して、鍋にワインを入れて作る等、結構作るのに手間が掛かる。また、スパイスを、結構な量使用する事になる。
【発明の詳細な説明】
【０００２】  上記のような事態を、解決する為は、少量のスパイスでもスパイス成分を抽出できる様に、粉末又は、粒状に加工したスパイスを、不織布の様な水分を透過する袋に入れて、ティーバッグ状に加工する。
マグカップやティーカップ等の容器にワイン又は、他の酒類を入れた中に、当スパイス入りティーバッグを浸して電子レンジで温める事により安易にホットワインや、薬酒を作る事ができる様にした。
図面で説明すると、▲２▼から▲７▼までの香辛料を、一種類から数種類、粉末及び粒状にして▲１▼の袋に封入する。
【発明の効果】
【０００３】  身体を暖めて、身体の冷えを防ぐ飲み物の調理が、容易にできる。
【０００４】  ホットワインばかりでなく、他の酒類でも使用可能になる。
【０００５】  オリーブオイルなどの食用油等にも使用できる。
【図面の簡単な説明】
【図１】▲１▼は、不織布・不織紙等の水分透過性の素材性袋  ▲２▼は、シナモン（桂皮）  ▲３▼は、クローブ（丁字）  ▲４▼は、カルダモン（小荳蒄−ショウズク）  ▲５▼は、八角アニス（八角茴香−スターアニス）  ▲６▼は、ショウガ（生姜）  ▲７▼は、柑橘果実の皮（陳皮）
【図１】
2012161305.tif 000003
(57)【要約】      （修正有）【課題】目線を支点としてスイング軌道をチェックできるゴルフ練習用具を提供する。【解決手段】右打ちの場合、クラブのグリップに添える右手にできる右手親指と人差し指との間にできるＶの字が、目線で捉えられるようにＶの字をイラスト的に描いた円柱状の台１を使用することによりに視覚に入るようになり、さらに、イラスト的に描いたＶの字７の先端に照準筒２を立て、その筒の下方に半球体の凸部を設け、円柱状の台１の上には半球体の凹部を設けて全方向へ可変する接合部でつなぐ。【選択図】図１
2012161616.tif 000002
【特許請求の範囲】
【請求項１】
右打ちの場合、クラブのグリップに添える右手にできる右手親指と人差し指との間にできるＶの字が、右頬から右肩部分を指しているストロンググリップが主流の構えになっていると言う近年の理論に基づくのだが、実際構えると、そのＶの字が目線で捉えられないほど下向きの角度になっているために、目線で捉えられるようにＶの字をイラスト的に描いた円柱状の台を使用することによりに視覚に入るようになり、さらに、イラスト的に描いたＶの字の先端に照準筒を立て、その筒の下方に半球体の凸部を設け、円柱状の台の上部には半球体の凹部を設けた構造により全方向へ可変する接合部でつなぎ、円柱状の台の下部を人指し指と親指のＶの字と手首との中間に乗るように手首の甲の傾斜に沿って、しかもＶの字が目線とほぼ垂直になるように円柱の下部の側面を楕円状に削り落としたものを指なしグロウブ又はグロウブに接着固定したものである。構えた時に目線に照準筒を動かし合わせると、イラスト的に描いたＶの字と照準筒が３Ｄ化するので、目線を支点として照準筒の底より発する光を捉えながらテイクバックすれば、Ｖの字は正しいスイング軌道上にあることになり、右手の手首の形を維持し、右肘の流れを防ぎ、フェース面を変えること無く、正しいスイング軌道上にあるのかチェックできる機能を持つことを特徴とするゴルフ練習用具。
【発明の詳細な説明】
【技術分野】
【０００１】本発明は、右打ちの場合、クラブのグリップに添える右手にできる右手親指と人差し指との間にできるＶの字が、右頬あたりから右肩部分を指しているストロンググリップが近年主流になっていると言う理論に基づき、そのＶの字を３Ｄ化して視覚で捉えられるようにしたゴルフ練習用具に関するものである。
【背景技術】
【０００２】従来、右打ちの場合、クラブのグリップに添える右手にできる右手親指と人差し指との間にできるＶの字が構えたままでは見えない仮想Ｖの字を頭の中で描いてスイングしていた。
【発明の概要】
【発明が解決しようとする課題】
【０００３】右打ちの場合、クラブのグリップに添える右手にできる右手親指と人差し指との間にできるＶの字は、実際構えると見えないほど下を向いていて、見えないＶの字を頭に描きながらテイクバックしていたので、そのＶの字が視覚より流れて行っているのに気がつかない欠点があった。本発明は、この課題を解消するためにＶの字を３Ｄ化して視覚で捉えられるようにしているため、スイング軌道をチェックでき正しいスイング軌道に導くことを目的とする。
【課題を解決するための手段】
【０００４】本発明は、右打ちの場合、クラブのグリップに添える右手にできる右手親指と人差し指との間にできるＶの字をイメージしたＶの字を円柱状の台１の上部の円いっぱいにイラスト的に描き、その円柱状の台１の下部を人指し指と親指のＶの字と手首との間の中間に乗るように、円柱状の台１の側面を手首とＶの字の傾斜部分に沿って斜めに楕円状に削ぎ落としたような形にカットし、しかもイラスト的に描かれたＶの字７が目線とほぼ垂直になるようにして、その削ぎ落としカットした楕円状の面を指なしグロウブ又はグロウブ４と接着固定するようにして、さらに円柱状の台１の上部にイラスト的に描いたＶの字７のＶの尖がった部分より上方に目線を合わせる筒、照準筒２を取り付けるようにして、その筒の下方に半球体の凸部を設け、円柱状の台１の上部のイラスト的に描いたＶの字７のＶの尖がった部分に半球体の凹部を設けた構造により照準筒２を全方向に変えられる接合部３でつなぎ、その照準筒２は底のある筒になっていて底には円形の反射テープ６が貼ってあり、筒の側面に開けられた採光口５より光りが入るようにしてあるので、筒の中の円形の反射テープ６より出る光が筒を通して見えるか見えなくなるかによってスイング方向がずれているかいないかをチェックできるようにしたゴルフ練習用具である。
【発明の効果】
【０００５】本発明のゴルフ練習用具を用いて練習すると、構えた時目線を支点としてＶの字が３Ｄ化され、Ｖの字と照準筒で構成される四面体は、支点である目線を中心とした回転軌道上では形を崩すことがないため、筒の中より出る光が筒より外れないようにテイクバック途中でチェックしながらテイクバックすると、正しいスイング軌道上にあることになり、フェース面も流れて行くことがなく、手首の角度もアドレスした時の状態を維持できるようにしたものである。
【図面の簡単な説明】
【０００６】
【図１】  本発明の正面から見た斜視図である。
【図２】  本発明の側面から見た斜視図である。
【発明を実施するための形態】
【０００７】本発明の実施形態について図面を参照して説明する。図１、図２に本発明に係るゴルフ練習用具の実施形態を示す。右打ちの場合、クラブのグリップに添える右手にできる右手親指と人差し指との間にできるＶの字を、円柱状の台１の上部にＶの字をイラスト的に描いて、Ｖの字を視覚で捉えられるようにしていて、Ｖの字のＶの先端には目線を合わせる照準筒２を設け、その照準筒２は全方向に可変できる接合部２でつないでいる。構え方には同じストロンググリップでも右頬から右肩部分と個人差があるため、目線に合わせて照準筒２を動かし固定して構え、照準筒２の底には円形の反射テープ６が貼ってあるので筒を通して目線で確認できるようにしてある。
【符号の説明】
【０００８】１  円柱状の台
２  照準筒
３  接合部
４  指なしグロウブまたはグロウブ
５  採光口
６  円形の反射テープ
７  イラスト的に描いたＶの字
【図１】
2012161616.tif 000003
【図２】
2012161616.tif 000004
(57)【要約】【課題】複数個の空き缶を一度につぶし圧縮し梱包まで同時に行い、運搬を容易にする空き缶つぶし機はなかった。本発明は缶をつぶし圧縮梱包をするための空き缶つぶし機を提供する。【解決手段】背中部にソーラーパネルを設け、充電器に蓄電しモーター・トレー下部のふた・自動梱包機を作動させ、投入口から缶が投入されるとトレーに溜まり一定量になると重りが落下、缶をつぶし圧縮させトレー下部のふたが開きローラーを滑り落ち自動梱包機にて梱包され出口より排出される空き缶つぶし機。【選択図】図１
2012161837.tif 000002
【特許請求の範囲】
【請求項１】
空き缶投入口から傾斜を下りカウンターを経由し缶を溜めるトレーを設け、缶が一定量になると上部から重りが落下、トレーの中にある缶をつぶし圧縮し、圧縮された缶はトレーの下部のふたが開き後部のローラーを滑り落ち自動梱包機によって梱包されるとストッパーが倒れ後部より排出され、缶圧縮後はモーターが作動し重りを持ち上げ定位置に戻し、カウンターは滑り落ちる缶が接触するごとにカウントされ、カウンターは個数を設定する事が出来る。
【請求項２】
動力は背中部にソーラーパネルを設け、充電器に蓄電し充電器から電気を送りモーター・トレー下部のふた・自動梱包機・ストッパーを作動させ、電力不足を防ぐため家庭用電力（１００ｗ）のコンセントを設ける。
以上を特徴とする空き缶つぶし機である。
【発明の詳細な説明】
【技術分野】
【０００１】本発明は、空き缶をつぶし、圧縮梱包し回収を容易にするためのものである。
【背景技術】
【０００２】従来、単体や手動の空き缶つぶし機は多く存在するが、つぶした空き缶を圧縮梱包し回収を容易にしたものはなかった。また公共の施設等人の集まる場所に空き缶つぶし機自体が設置されていないところが多い。
【発明の概要】
【発明が解決しようとする課題】
【０００３】そのため以下の様な問題点があった。
（イ）空き缶つぶし機のないゴミ入れでは容器内がすぐにいっぱいになり周りに散乱してしまう。回収の際も体積が大きい為、たくさん運搬出来ない。
（ロ）空き缶つぶし機の利用では体積は小さくなるものの一つ一つバラバラの為、回収の際に不便が生じる事につながる。
本発明はこれらの問題点を解決するためになされたものである。
【課題を解決するための手段】
【０００４】缶投入口から傾斜を下りカウンターを経由し缶を溜めるトレーを設け、缶が一定量になると上部から重りが落下、トレーの中にある缶をつぶし圧縮する。缶圧縮後モーターが作動し重りを持ち上げ定位置に戻す。なお、カウンターは滑り落ちる缶が接触するごとにカウントされる。カウンターは個数を設定する事が出来る。【０００５】圧縮された缶はトレーの下部のふたが開き後部のローラーを滑り落ち自動梱包機によって梱包されストッパーが倒れ後部より排出される。【０００６】なお動力は背中部にソーラーパネルを設け、充電器に蓄電し充電器から電気を送りモーター・トレー下部のふた・自動梱包機・ストッパーを作動させる。電力不足を防ぐため家庭用電力（１００ｗ）のコンセントも設ける。
以上を特徴とする空き缶つぶし機である。
【発明の効果】
【０００７】動物やキャラクターほか、場面に見合う外観にすることにより子供を始め大人まで興味を引き楽しみながら空き缶リサイクルに参加が可能になる、また空き缶をつぶし圧縮梱包を内部で行う事により回収の際にもコンパクトなお且つ安易に運搬出来るようになる。
【図面の簡単な説明】
【０００８】
【図１】本発明の全体断面
【図２】本発明の上部図
【図３】本発明の内部図
【図４】本発明の投入口正面図
【図５】本発明の投入口側面図
【発明を実施するための形態】
【０００９】以下本発明の実施の形態について説明する。
（イ）本体（１）背中部表面にソーラーパネル（２）を設ける。
（ロ）内部に充電器（３）を設け、その前面にモーター（４）を設け、重り（６）を付けたワイヤー（５）を設け、重り（６）の下部にトレー（７）を設け、トレー下部にふた（８）を設け、傾斜をつけたローラー（９）を設け、自動梱包機（１０）を設ける。
（ハ）缶投入口（１２）を設け、缶通過地点にカウンター（１３）を設ける。
（ニ）自動梱包機（１０）の後部にストッパー（１１）を設け、出口（１４）を設ける。
（ホ）家庭用電源（１５）を設ける。
本発明は以上の様な構成である。
【００１０】本発明を使用するときは本体（１）背中部のソーラーパネル（２）から太陽光を取り込み充電器（３）に蓄電する。投入口（１２）から空き缶を投入するとその先のカウンター（１３）を通過、缶の数がカウントされトレー（７）に缶が溜まると重り（６）のついたワイヤー（５）が緩み、重り（６）がトレー（７）の中に落下する。空き缶が圧縮されると下部のふた（８）が開きローラー（９）を滑り自動梱包機（１０）にてバンドが掛けられストッパー（１１）が外れ後部の出口（１４）から排出される。圧縮後、重り（６）はモーター（４）が作動しワイヤー（５）を巻き上げ重り（６）を定位置まで戻す。なお電力不足の場合には家庭用電源（１００ｗ）（１５）を差し込む事によりいつでも稼働可能にする。
【符号の説明】
【００１１】（１）本体  （２）ソーラー  （３）充電器  （４）モーター  （５）ワイヤー  （６）重り  （７）トレー  （８）下部のふた  （９）ローラー  （１０）自動梱包機  （１１）ストッパー  （１２）投入口  （１３）カウンター  （１４）出口  （１５）電源（家庭用電源１００ｗ）
【図１】
2012161837.tif 000003
【図２】
2012161837.tif 000004
【図３】
2012161837.tif 000005
【図４】
2012161837.tif 000006
【図５】
2012161837.tif 000007
(57)【要約】【課題】敷布団またはマットレスと掛け布団を折りたたんで、枕類を含む寝具を、ベンチソファーの座面下の収納スペースに収納し、寝具を出したまま居室を占めないようにする。【解決手段】ベンチソファーの座面下に、敷布団またはマットレスと掛け布団を折りたたみ、枕類を含む寝具を収納できる面積と深さの収納スペースを設ける。座面下を開けて寝具を出し入れする。硬い材質で製作した場合ベンチとして、柔らかい材質で表面を製作した場合ソファーとして使用できる。これにより押入れが無い居室でも寝具を収納することができる。寝具を収納後、居室に活動できるスペースを確保できるため、ワンルームや子供部屋にも適している。寝具を収納することで、夜間と日中、休息と活動の切り替えが出来、学童や学生が寝具を上げ下げする習慣をつける手段にも適している。【選択図】図２
2012161442.tif 000002
【特許請求の範囲】
【請求項１】
敷布団またはマットレスと掛け布団を折りたたみ、枕類を含む寝具を、座面下の収納スペースに収納することができる、ベンチまたはソファーの形状をした、寝具収納ベンチソファー。
【発明の詳細な説明】
【技術分野】
【０００１】
本発明は、折りたたんだ寝具を収納できるベンチソファーである。
【背景技術】
【０００２】
現在一般的に、布団などの寝具を収納するには押入れが必要である。しかし、生活様式の変化によって、押入れがなくクローゼットしかない部屋もあり、寝具を収納したくても収納できない場合がある。
【０００３】
押入れに寝具を収納できない場合、一般的に寝具としてベッドが選択される。ベッドは寝具を使用しない日中も、寝具を収納せず出したままとなり、日中も居室で大きな面積を占めることになる。
【０００４】
現在、ベッドの下に収納スペースがある収納ベッドがあるが、掛け布団は収納できてもマットレスを収納するような形態ではなく、ベッド自体の寝具は出したままとなる。また、マットレスをソファー状にすることが出来るソファーベッドがあるが、マットレスをソファー状に整えることが出来ても、掛け布団は他に収納する必要がある。また、布団をカバーに包んでソファー状にする布団収納カバーがあるが、寝具の出し入れがしにくく、使用頻度の低い来客用布団などを収納するにはいいが、毎日使用する寝具を出し入れする収納としては不向きである。
【先行技術文献】
【特許文献】
【０００５】
【特許文献１】特開２００３−１４４２６９号公報
【発明の概要】
【発明が解決しようとする課題】
【０００６】
解決しようとする問題点は、押入れに寝具を収納することが出来ない居室において、寝具を出し入れしやすい方法で収納できず、寝具を使用しない日中も寝具を出したまま居室を占める点である。
【課題を解決するための手段】
【０００７】
本発明は、敷布団またはマットレスと掛け布団を折りたたんで、枕類を含む寝具を、ベンチソファーの座面下に設けた収納スペースに収納することによって、収納したくても収納できなかった寝具を容易に収納し、寝具を出したまま居室を占めないようにすることを特徴とする。
【発明の効果】
【０００８】
本発明のベンチソファーは、敷布団またはマットレスと掛け布団を折りたたんで、枕類を含む寝具を座面下に収納できるので、押入れが無い居室でも寝具を収納することができる。また寝具収納後の居室に占める面積はベッドよりも小さいため、居室に活動するためのスペースを確保でき、ベンチソファーの形状となるため、ベッドのように寝具を出したままにならない。
【０００９】
押入れに収納する場合は、上段に収納する時は寝具を持ち上げなければならず、下段に収納する時は上段下段を分ける段に注意してかがんで収納しなければならないが、ベンチソファーに収納する場合は高さも低く収納しやすい。押入れでは他の収納物があるため収納方法を配慮しなければならないが、ベンチソファーに収納する場合は他の収納物が無いため収納しやすい。収納しやすいため毎朝毎晩出し入れする動作が容易になる。寝具を毎日出し入れすることで、寝具の手入れも行き届きやすい。
【００１０】
また、ベンチソファーが居室に占める面積は、ベッドのそれよりも少なく、寝具収納後は、居室に活動のスペースを確保できる。活動スペースを出来る限り広く取りたいワンルームや、子供部屋での寝具の収納にも適している。
【００１１】
外観上でも、寝具を収納後はベンチソファーの形状となり、居室に寝具を出したままにすることなく、夜間と日中の切り替え、休息と活動の切り替えが出来る。寝具を収納するという動作を取ることで、居室の外観だけでなく、人も休息から活動への切り替えが出来ると思われる。寝具を持ち上げられる学童や、一人暮らしの学生などが、寝具を上げ下げする習慣をつける手段にも適している。
【図面の簡単な説明】
【００１２】
【図１】図１は本発明の斜視図である。
【図２】図２は本発明の透視図である。
【図３】図３は本発明の収納スペースを開けている図である。
【発明を実施するための形態】
【００１３】
図１の１のベンチソファーの座面下の収納スペースを、敷布団またはマットレスと掛け布団を折りたたんで、枕類を含む寝具を収納できる面積と深さにする。図２のように寝具を収納する。図３のように座面を開けて、寝具を出し入れする。座面を開けて寝具を出し入れする間座面が閉まらないように、図３の７のようにタスキなどの仕組みを利用する。底面や側面、背面などに、通気口を設置するか、スノコ状にすれば、寝具収納時の通気に配慮できる。硬い材質で製作した場合ベンチとして、柔らかい材質で表面を製作した場合ソファーとして使用できる。
【産業上の利用可能性】
【００１４】
このベンチソファーを用いて寝具を収納する場を確保すれば、一般家庭において、他に押入れの大きさが必要な収納するべき物はほとんど無い。押入れは奥行きが深く、寝具を収納するには必要な大きさだが、他の物を収納するには大きすぎる。手前に置いてある物は出し入れできるが、奥に置いたものは出し入れがしにくく、手前に置いたものをどけなければならない。なので、寝具以外の物の収納には、浅い方が適していると言える。例えば、衣類を収納するには、たたむか、吊り下げる方法があるが、たたんだものを引き出しなど利用して収納する場合、深い奥行きは不要であり、吊り下げる場合は、奥行きに服の肩幅があれば充分である。寝具を押入れに収納しなくてよければ、ひいては、押入れのような大きな収納は不要となり、クローゼットのような浅い収納で生活は整い、居室の面積を広く取ることが可能にもなる。居室の面積が広がることで、日中の活動に違いをもたらすと思われる。住居が狭い日本においては、ベンチソファーを用いて寝具を収納する方法は有効であり、新しい寝具の収納方法となると考えられる。
【符号の説明】
【００１５】
１  座面下の収納スペース
２  座面
３  前面
４  背面
５  側面
６  底面
７  タスキなどの仕組み
【図１】
2012161442.tif 000003
【図２】
2012161442.tif 000004
【図３】
2012161442.tif 000005
(57)【要約】      （修正有）【課題】複数人で各自が家に居ながらにして共同仕事ができる就業形態を提供する。【解決手段】個人事業主、自営業、小規模会社等のインターネット・パソコンを使用した作業に関して、オフィスが狭い場合、農村地帯の集落の場合、集合住宅地や同じマンションや近隣のマンションや自宅や自室で比較的近くで数人で仕事をする。無線のデータ通信機とパソコンを使用する。無料ＴＶ電話、複数コンタクトでネットミーティング可能なＳｋｙｐｅ（登録商標）等で通信を行う。【選択図】図１
2012185682.tif 000002
【特許請求の範囲】
【請求項１】
ROSOHOとは、ローソーホと呼び、Remote  Office／Small
Office/Home Office（リモートオフィス・スモールオフィス・ホームオフィス）の事である。今までのSOHOにROを付けて、離れた場所で作業するという概念である。ROとは英語のlaw（法律）という意味があり、“法律家を目指す”や“法律家の”という意味も含まれている。
【発明の詳細な説明】
【技術分野】
【０００１】
本発明は、ビジネスに関する特許である。
【背景技術】
【０００２】
SOHOとは、Small Office/Home Office（スモールオフィス・ホームオフィス）、略してSOHO（ソーホー）とは、「パソコンなどの情報通信機器を利用して、小さなオフィスや自宅などでビジネスを行っている事業者」といった意味で使われる場合が多い。概要として、SOHOという言葉の定義は正式に確立されておらず、官公庁や各種団体により様々な定義づけがされている。個人事業または社員が一人の会社という業態をたびたび連想される。テレワーク、在宅勤務、マイクロビジネスなどと同義語で使われる場合もある。SOHOの実態を捉え難くしている理由のひとつに、各種メディアがその言葉の響きや字面だけで判断し、内職、在宅ワーク（テレワークの一）、フリーランス、マイクロビジネス、ベンチャー（起業）、中小企業などと厳密に区別せず、これらと同義のものとして勝手に紹介していることがあげられる。
【０００３】
USBデータ通信機として、移動体通信のうち携帯電話・PHSのパケット通信に該当しないもの、また、PC・PDAに携帯電話・PHS端末を接続・内蔵して利用する形態での料金体系など、さらにMVNOによる定額制データ通信に関しても扱う。また、料金制度以外の側面に関しては移動体通信や無線アクセスの項目も参照のこと。なお現状、携帯電話・PHSに関しては、通信方式はPHSおよび第三世代携帯電話（3G）に限られ、第二世代携帯電話（2G）での定額制のサービスは日本国内では存在しない。また、接続・内蔵端末がPC・PDAの別なく定額制が適用されるものと、スマートフォン向けのものがある。後者では、PCによる通信は定額制の対象外である（オペレータ・プラン等により、上限額が上がる形で定額が適用になる場合もある）。
【０００４】
Skypeとは、ルクセンブルクに籍を置くSkype Technologies社（以下「Skype社」）。2005年10月、eBayに約26億ドル[2]で買収され子会社となった後、2009年には投資家グループに株式の65%が約20億ドルで売却された。株式上場を視野に入れており、今後持ち株比率はさらに低下する可能性もある。Skype社が提供するP2P技術を利用したインターネット電話サービス。KaZaAの共同開発者であるニコラス・センストロムとヤヌス・フリスが開発者であり、タリン（エストニア）で開発された。概要P2P技術を利用したコミュニケーション・ソフトウェアであり、比較的低速な回線やファイアーウォールの内側でも高音質の安定した通話を実現できることが特徴。
【先行技術文献】
【特許文献】
【０００５】
【特許文献１】なし。
【非特許文献】
【０００６】
【非特許文献１】wikipedia、ヤマダミチコへの手紙（山田美智子さんへ板井修二より  ２０１１／２／２８（月））で公知
【発明の概要】
【発明が解決しようとする課題】
【０００７】
個人事業主、自営業、小規模会社等のインターネット・パソコンを使用した作業で一人では、作業者が複数人で各自が家に居ながらにしての近距離の就業形態。
【課題を解決するための手段】
【０００８】
無線のデータ通信機とパソコンを使用する。Skype（無料TV電話、複数コンタクトでネットミーティング可能）等で通信を行う。
【発明の効果】
【０００９】
オフィスが狭い場合、農村地帯の集落の場合、集合住宅地や同じマンションや近隣のマンションや自宅や自室で共同仕事をしたい場合に有効である。自分のデータも保持したまま、移動もできる。ルーターの出力を上げれば、少々離れていても、LANの構築も可能である。
【図面の簡単な説明】
【００１０】
【図１】（例1）図１は個人事業（白色申告）の基本形である（実施例１）
【図２】（例2）図２は個人事業の発展形である。（実施例２）
【発明を実施するための形態】
【００１１】
無線のデータ通信機とパソコンを使用する。Skype（無料TV電話、複数コンタクトでネットミーティング可能）等で通信を行う。
【産業上の利用可能性】
【００１２】
オフィスが狭い場合、農村地帯の集落の場合、集合住宅地や同じマンションや近隣のマンションや自宅や自室で比較的近くで数人で仕事をしたい場合に有効である。  
【図１】
2012185682.tif 000003
【図２】
2012185682.tif 000004
【手続補正書】
【提出日】平成24年7月10日(2012.7.10)
【手続補正１】
【補正対象書類名】特許請求の範囲
【補正対象項目名】請求項１
【補正方法】変更
【補正の内容】
【請求項１】
ROSOHOとは、ロソホと呼び、Remote  Office／Small
Office/Home Office（リモートオフィス・スモールオフィス・ホームオフィス）の事である。今までのSOHOにROを付けて、離れた場所で作業するという概念である。
(57)【要約】【課題】  従来のソート処理の場合、データの件数が増えれば増えるほど、ソートの処理時間も大幅に長くなるという課題があった。  本発明は、ソートするデータをＮ個のグループに分割し、この分割により、データが少なくなったところで、ソート処理することにより、ソート処理時間を短縮するソート方法を提供する。【解決手段】ソートするデータをＮ個のグループに分割し、各グループをソート処理することにより、ソート処理時間を短縮することを特徴とするソート処理方法。【選択図】図１
2012185791.tif 000002
【特許請求の範囲】
【請求項１】
ソートするデータをＮ個のグループに分割し、各グループをソート処理することにより、ソート処理時間を短縮することを特徴とするソート処理方法。
【発明の詳細な説明】
【技術分野】
【０００１】  本発明は、コンピュータシステムにおけるデータ／情報のソート（整列、並べ替え）処理の技術に関する。
【背景技術】
【０００２】  ソート処理の方法として、マージ（併合）していくマージソート法（ソートマージ法などともいう）や、クイックソート法が、広く採用されているが、データ量が多くなるにつれ処理時間が長くなる傾向にあり、近年データベースが大容量化していることからも、このソート処理時間の短縮が課題となっている。
また、従来のソート処理の技術として、特許公開２００７−１３３５７６号公報（特許文献１）が、記載されている。
【先行技術文献】
【０００３】
【特許文献１】特許公開２００７−１３３５７６号公報
【発明の概要】
【発明が解決しようとする課題】
【０００４】  大量のデータのソート処理時間を短縮し、処理装置の負荷を軽減することは、現在の様々なシステムにおいて、その処理性能を保持または向上するために必要不可欠の課題となっている。
【課題を解決するための手段】
【０００５】  ソートするデータをＮ個のグループに分割し、各グループをソート処理することにより、ソート処理時間を短縮することを特徴とするソート処理方法。
【発明の効果】
【０００６】  ソートするデータを分割し、分割されたデータをソートする方法により、ソートの処理時間が短縮された。
今までのソート処理であると、データの件数が増えれば増えるほど、ソートの処理時間も大幅に長くなっていたが、このソート処理は、件数が増えても、大幅に長くなることはない。
これは、データの件数が増えるほど、分割するグループの数も増える為である。
【図面の簡単な説明】
【０００７】
【図１】本発明の概要図
【図２】本発明の分割方法の概要図
【図３】本発明のフローチャート１
【図４】本発明のフローチャート２
【発明を実施するための形態】
【０００８】  以下、本発明の実施の形態を説明する。
本発明は、図１のような概要であり、ソートを実行するデータ（以下データと略す）をＮ等分に分割し、分割されたデータ群をそれぞれソートしていく。
また、図２のような、分割方法によるデータの分割処理をすることによって、分割処理も速く処理される。
これにより、ソート処理は、かなり処理時間が短縮される。
また、以下は詳細である。
（イ）  ソートを実行するデータ（以下データと略す）の件数を取得（１）する。
これは、分割するグループ数を計算する時に使用される。
また、データの件数によって、分割するグループ数は変わり、データの件数によ      って、分割するグループ数の数は決まる。
（ロ）  データのＭＡＸ値とＭＩＮ値を取得（２）する。
これは、データの範囲を認識するためである。
また、グループの範囲値を計算（４）するためにも、使用される。
（ハ）  データの件数／３００で、グループ数を計算（３）する。
これにより、各グループのデータの数は、平均して３００個づつのデータになる      。
また、例として、３万件のデータ数の場合、１００個のグループになる。
（ニ）  （ＭＡＸ−ＭＩＮ）／グループ数で、グループの値の範囲を計算（４）する。
例：ＭＡＸが１００００で、ＭＩＮが０、グループ数が１００の場合、
各グループの値の範囲は、１００となり、１番目のグループは、０〜１００まで、      ２番目のグループは、１０１〜２００までとなり、１００番目のグループは、９９      ００〜１００００までとなる。
また、グループの値の範囲値が１未満になってしまった場合、グループの値の範      囲値は１とする。
（ホ）  データの値／グループの値の範囲値で、各データが何番目のグループかを計算（      ５）する。
例えば、データの値が１００００で、グループの値の範囲値が１００の場合、１      ００番目のグループということになる。
これにより、各データが何番目のグループになるか、ということが１命令でわか      るので、速く分割処理できる。
また「何番目のグループ」に関しては、正の整数である。
（ヘ）  各グループをソート処理（６）する。例えば、グループ数が１００の場合、１０      ０個のグループすべてをソート処理する。
この時のソートは、クイックソート等の速いソートを使用すると、さらに速くな      る。
本発明は以上のような構造である。
本発明により、各グループのデータ数は、３００件前後のデータになるので、ソートの処理時間は、かなり短縮される。
ソート処理は、件数が増えれば増えるほど、処理時間は長くなる為、件数が少なくなると、処理時間も少なくなる。
また、３００件前後のデータを１件前後のデータにした場合、（３）の処理を省略して、グループ数＝データの件数にした場合、このプログラムは、最速になる。
それから、ここでは例として、正の整数で書いているが、マイナスのデータでも、小数点があるデータの場合でも、このプログラムは可能である。
また、このプログラムは、データに偏りがあると、あまり効果を発揮しない。
全体的に、まんべんなくデータが存在するようなデータの場合、効果が最大限、発揮され、速く処理される。
【符号の説明】
【０００９】      １  データの件数を取得
２  ＭＡＸ値とＭＩＮ値の取得
３  グループ数の計算
４  各グループの範囲を計算
５  各データが何番目のグループになるのかを計算
６  各グループをソート処理
【図１】
2012185791.tif 000003
【図２】
2012185791.tif 000004
【図３】
2012185791.tif 000005
【図４】
2012185791.tif 000006
(57)【要約】      （修正有）【課題】オンライン上のソーシャルメディアやデジタルコンテントに、特定場所のユーザを導くのを援助する。【解決手段】コンテントデリバリルータにより提供されるインターネット接続を使用している間に、ユーザに向けた映像や音声を受動的に取得させるシステムであって、ａ）センターサービス、ｂ）コンテントプロバイダ、ｃ）インターネット、ｄ）ユーザの周辺位置、ｅ）コンテントデリバリルータ、ｆ）ユーザのデバイスを含む。【選択図】図１
2012185792.tif 000002
【特許請求の範囲】
【請求項１】
デジタルコンテントとソーシャルメディアを特定場所のユーザにアクセス可能にするシステムであって、
ａ）センターサービス
ｂ）コンテントプロバイダ
ｃ）インターネット
ｄ）ユーザの周辺位置
ｅ）コンテントデリバリルータ
ｆ）ユーザのデバイス
を含むシステム。
【発明の詳細な説明】
【技術分野】
【０００１】  本発明は、デジタルコンテントとソーシャルメディアを特定場所のユーザにアクセス可能にするシステムに関する。
【発明の概要】
【課題を解決するための手段】
【０００２】本発明は以下に関するものである。
（１）デジタルコンテントとソーシャルメディアを特定場所のユーザにアクセス可能にするシステムであって、
ａ）センターサービス
ｂ）コンテントプロバイダ
ｃ）インターネット
ｄ）ユーザの周辺位置
ｅ）コンテントデリバリルータ
ｆ）ユーザのデバイス
を含むシステム。
【図面の簡単な説明】
【０００３】
【図１】  本発明を説明する図である。
【発明を実施するための形態】
【０００４】  デジタルコンテントとソーシャルメディアを特定場所のユーザにアクセス可能にする本システムは、既に利用可能なオンラインコンテントのライブラリに、ユーザを導くのを援助することを目的としている。このシステムの適用例は、カフェやレストランが、そのひいきの客を、オンライン上のソーシャルメディアやデジタルコンテントに導くことであり得る。このシステムは、コンテントデリバリルータにより提供されるインターネット接続を使用している間に、ユーザに向けた映像や音声の形態となった、可視的又は可聴のジェスチャを受動的に取得させることにより、そのようなユーザやひいきの客の誘導をする。
【図１】
2012185792.tif 000003
【外国語明細書】
2012185792.tif 000004
2012185792.tif 000005
2012185792.tif 000006
2012185792.tif 000007
2012185792.tif 000008
(57)【要約】【課題】転がり軸受、ボールねじやリニアガイド等の直動装置、電動パワーステアリング装置等のステアリング装置等の機械部品や機械装置の精度、状態、特性を分析する際、各種の画像上のグラフデータを読み取り、画素に変換し、グラフ部分の画素を抽出し、グラフ座標と画素座標の対応関係を算出し、抽出した画素の位置情報をグラフ座標に変換してデータとして抽出し、周波数分析等の各種分析に使用する画像抽出方法を提供する。【解決手段】本発明による画像抽出方法は、画素変換手段、画素抽出手段、グラフ座標と画素座標の対応関係算出手段、画素位置情報変換手段を含むことを特徴とする。【選択図】図１
2012190295.tif 000002
【特許請求の範囲】
【請求項１】
画像抽出方法において、画素変換手段、画素抽出手段、グラフ座標と画素座標の対応関係算出手段、画素位置情報変換手段を含むことを特徴とする画像抽出方法。
【発明の詳細な説明】
【技術分野】
【０００１】
本発明は、画像上のグラフデータを読み取り、データを抽出する方法に関する。
【背景技術】
【０００２】
転がり軸受、直動装置、ステアリング装置等の機械部品や機械装置の精度、状態、特性を分析する際、各種の画像上にグラフデータを得ることがある。図２は、転がり軸受の振動を測定したデータのグラフを、ＰＤＦファイルの画像として記録したものである。図２のような画像上のグラフデータは、そのままでは周波数分析等の各種分析には使用できない。
【０００３】
この部分の改善の先行技術としては、特許文献１のような従来技術がある。これは、図面上の図形データを読み取り、図面を電子化する図形検出方法及び装置である。
【先行技術文献】
【特許文献】
【０００４】
【特許文献１】特許２６２１８１０
【発明の概要】
【発明が解決しようとする課題】
【０００５】
しかしながら、特許文献１の方法は、直線や円弧等の図形データを読み取って、図面を電子化する図形検出方法及び装置であり、図２のように複雑なグラフデータを読み取り、周波数分析等の各種分析に使用することは困難であった。
【０００６】
本発明は、上述のような従来技術の問題に鑑み、転がり軸受、直動装置、ステアリング装置等の機械部品や機械装置の精度、状態、特性を分析する際、各種の画像上のグラフデータを読み取り、データとして抽出し、周波数分析等の各種分析に使用する画像抽出方法を提供することを目的とする。
【課題を解決するための手段】
【０００７】
上記目的を達成するために、本発明による画像抽出方法は、画素変換手段、画素抽出手段、グラフ座標と画素座標の対応関係算出手段、画素位置情報変換手段を含むことを特徴とする。
【発明の効果】
【０００８】
本発明の画像抽出方法によれば、転がり軸受、直動装置、ステアリング装置等の機械部品や機械装置の精度、状態、特性を分析する際、各種の画像上のグラフデータを読み取り、データとして抽出し、周波数分析等の各種分析に使用する画像抽出方法を提供できる。
【図面の簡単な説明】
【０００９】
【図１】本発明に係る画像抽出方法の一例
【図２】本発明に係る第１実施形態に用いたＰＤＦファイル
【図３】図２のグラフ部分
【図４】本発明に係る第１実施形態のグラフ座標と画素座標の一例
【図５】本発明に係る第１実施形態のグラフ座標の一例
【図６】本発明に係る第２実施形態に用いたＰＤＦファイル
【図７】図６のグラフ部分
【図８】本発明に係る第２実施形態のグラフ座標と画素座標の一例
【図９】本発明に係る第２実施形態のグラフ座標の一例
【発明を実施するための形態】
【００１０】
以下、本発明を実施するための形態について図面を用いて説明する。
＜第１実施形態＞
図1は本発明に係る画像抽出方法の一例を表した図であり、第１実施形態と第２実施形態に対応している。図２は、前述の様に、転がり軸受の振動を測定したデータのグラフを、ＰＤＦファイルの画像として記録したものである。本実施形態では、この画像を画素変換手段を用いて画素に変換する。そして、図３に示したようなグラフ１の部分の画素を、画素抽出手段を用いて抽出し、グラフ座標と画素座標の対応関係算出手段を用いて、図４のようなグラフ座標と画素座標を得る。次に、抽出した画素の位置情報をグラフ座標に変換し、図５のような２次元の座標データを得ることができる。なお、図４と図５の数値は一例であって、図２や図３のグラフには対応していない数値である。このような画像抽出方法を用いて得たデータは、周波数分析等の各種分析に使用することができる。
【００１１】
＜第２実施形態＞
図６は、転がり軸受の内輪の軌道面の形状を測定したグラフを、ＰＤＦファイルの画像として記録したものである。本実施形態では、この画像を画素変換手段を用いて画素に変換する。そして、図７に示したようなグラフ２の部分の画素を、画素抽出手段を用いて抽出し、グラフ座標と画素座標の対応関係算出手段を用いて、図８のようなグラフ座標と画素座標を得る。次に、抽出した画素の位置情報をグラフ座標に変換し、図９のようなデータを得ることができる。なお、図８と図９の数値は一例であって、図６や図７のグラフには対応していない数値である。このような画像抽出方法を用いて得たデータは、周波数分析等の各種分析に使用することができる。
【００１２】
また、上述の実施形態は本発明の一例を示したものであって、本発明はこれらの実施形態に限定されるものではない。本発明の主旨を外れない限り、他の実施形態にも適用出来る。
【符号の説明】
【００１３】
１、２    グラフ
【図１】
2012190295.tif 000003
【図２】
2012190295.tif 000004
【図３】
2012190295.tif 000005
【図４】
2012190295.tif 000006
【図５】
2012190295.tif 000007
【図６】
2012190295.tif 000008
【図７】
2012190295.tif 000009
【図８】
2012190295.tif 000010
【図９】
2012190295.tif 000011
(57)【要約】      （修正有）【課題】窓を開閉するたびに、日除けを外す必要があった。また、陽射し向きが変わるたびに、日除けを取り外し、位置を変える必要があった。そこで、窓の開閉、ドアの開閉に支障なくなるように工夫した、車用日除けを提供する。【解決手段】車のドアに対し着脱自在の日除け２であって、日除け２の下部に、下部差し込み部１を設け、日除け２を使用するときは、ドア側面の窓枠と窓ガラスの間に、直接、下部差し込み部１を差し込むことにより、日除け２を使用する。【選択図】図１
2012232726.tif 000002
【特許請求の範囲】
【請求項１】
日除け（２）の下部に、下差し込み部（１）を設けとことを特徴とする車用日除け。
【発明の詳細な説明】
【技術分野】
【０００１】  車の窓を開閉するたびに、日除けを外す必要があり、陽射し漏れが生じ、陽射しの向きが変わるたびに、吸盤を取り外し、陽射しが差し込む方向に位置を変えなくてはいけない。
そこで、本発明は、窓の開閉時、陽射しの変更に際しても、支障なくなるように工夫した、車用日除けに関するものである。
【背景技術】
【０００２】  従来、車の窓に取り付ける日除けは、真ん中に吸盤が付いており、それを窓ガラスに密着させるが、運転中の振動や、吸盤効果が薄れ、日除けが外れることが多々ある。
また、陽射しの方向の変化に合わせ、日除けを取り外し、位置を変える必要があった。
【発明の概要】
【発明が解決しようとする課題】
【０００３】  日除けに付いている吸盤は、車の振動や吸盤効果が薄れ、落ちることも多く、日除けが付いていることを忘れ、窓の開閉を行うと、日除けが一緒に上下し、吸盤が窓枠で引っかかり、外れて落ちてしまう。
また、陽射しの方向に、日除けの吸盤を取り外し、陽射しを差し込む方向に位置をずらす必要があった。
本発明は、以上の問題点を解決するためになされたものである。
【課題を解決すための手段】
【０００４】  日除けを、日除け（２）の下部に差し込み部（１）を設ける。
以上のように構造された、車用日除けである。
日除けを直接、内側の窓ガラスとドアの側面の窓の溝部分に差し込み、固定する。
本発明は以上のような構造の車用日除けである。
【発明の効果】
【０００５】  車の振動や、吸盤率の低下で、外れることが多々あり、窓の開閉時に日除けを取り外さなければ、窓枠に引っかかり、日除けが落ちてしまうことがある。
さらに、陽射しの方向が変わるたびに、吸盤を取り外し、位置を変える必要があった。
本発明により、車での振動で、日除けが落ちることもなくなり、窓の開閉が自由に行え、窓ガラスの溝をスライドさせることができるので、陽射しの方向が変わるたびに日除けを取り外すことなく、社外に出られ、ドアを閉める振動で落ちることもなくなる。
本日除けは、窓の溝部分に差し込むために、日除けを差し込んだまま、ドアを閉める際に、振動で落ちる心配がないために、社内の荷物を隠す効果もあり、夏のみの使用ではなく、年間を通して防犯を考慮した目的にも使えるものである。
【図面の簡単な説明】
【０００６】
【図１】本発明の斜視図である。
【発明を実施するための形態】
【０００７】  以下、本発明の実施の形態について説明する。
日除け（２）の下部に、下部差し込み部（１）を設ける。
本発明は、以上のような構造である。
本発明を使用するときは、車の窓ガラスとドアの側面の間に、直接差し込む構造である。
車の窓枠と、窓ガラスの間に、直接日除けを差し込み、仕様することを特徴とした、車用日除けと、防犯効果を目的に、車内の荷物を外から遮断するものである。
【符号の説明】
【０００８】  １  下部差し込み部
２  日除け
【図１】
2012232726.tif 000003